(57)【要約】【課題】広告契約と広告コンテンツの記憶蓄積が迅速に行えるスポット放送用の広告番組送出システムおよびＣＭ送出サーバおよび広告番組送出方法を提供する。【解決手段】ＣＭ送出サーバ４５は、コンテンツサーバ８から入力された契約情報を含むメタデータで広告素材がラッピングされたＭＸＦファイル広告素材をアンラップして記憶蓄積し、広告素材の蓄積通知として広告素材メタデータをＥＤＰＳ９へ送信する。そしてＥＤＰＳ９から広告番組の契約締結を通知する応答を受信すると、契約の締結情報を含むメタデータに更新し、更新したメタデータで広告素材をラッピングしたＭＸＦファイルを生成し、ＣＭバンク４４または番組送出サーバ６へ送出してスポット広告のオンエアに備える。【選択図】図４
2010068469.tif 000002
【特許請求の範囲】
【請求項１】
放送局の番組素材の送出及び広告番組の契約を管理するＥＤＰＳに接続され、広告番組素材を通信網により伝送して送出する広告番組送出システムにおいて、
広告番組素材とそれに係わる契約情報を含むメタデータでラッピングしたＭＸＦファイルを伝送可能な通信手段に向け、又は、記憶媒体により出力するコンテンツ供給サーバ手段と、
ＭＸＦファイルが伝送可能な通信手段と、外部装置との間で前記通信手段又は、記憶媒体により前記ＭＸＦファイルを入出力し、前記ＭＸＦファイルを内部の記憶蓄積手段との間で書込読み出しを行う素材入出力手段と、前記入出力するＭＸＦファイルを記憶蓄積する記憶蓄積手段と、前記メタデータを制御ネットワークを介して送受信する制御情報通信手段と、前記コンテンツ供給サーバ手段から前記ＭＸＦファイルを入力された場合、前記制御情報通信手段により前記制御ネットワークを介して当該広告番組素材に係わる契約情報を含むメタデータを前記ＥＤＰＳに転送して未契約の前記広告番組素材を蓄積したことを通知し、前記ＥＤＰＳから前記蓄積の通知に対する応答として当該広告番組を放送する契約締結の通知を受信後、前記メタデータを前記契約締結の情報を含むメタデータに更新し、前記更新したメタデータで前記蓄積された前記広告番組素材をラッピングして第２のＭＸＦファイルを生成し、第２のＭＸＦファイルを前記通信網により出力する制御を行う制御手段とを備えるＣＭ送出サーバと、
前記ＣＭ送出サーバと前記ＥＤＰＳとの間でメタデータおよび制御データを伝送する制御ネットワークと、
前記各番組に対する送出、および契約情報とを管理し、前記ＣＭ送出サーバから受信した前記広告番組素材を蓄積した通知に対し、当該広告番組を放送する契約が締結された場合、その契約締結の情報を前記ＣＭ送出サーバへ送信するＥＤＰＳとを
備えることを特徴とする広告番組送出システム。
【請求項２】
コンテンツ供給サーバ手段から広告番組素材とそれに係わる契約情報を含むメタデータでラッピングしたＭＸＦファイルを入力し、制御ネットワークで接続されたＥＤＰＳに管理されて前記広告番組素材を通信網を介して出力する広告番組送出システムのＣＭ送出サーバにおいて、
前記ＭＸＦファイルを伝送可能な通信手段と、
外部装置との間で前記通信手段又は、記憶媒体により前記ＭＸＦファイルを入出力して内部の記憶蓄積手段との間で書込読み出しを行う素材入出力手段と、
前記ＭＸＦファイルを記憶蓄積する記憶蓄積手段と、
前記メタデータを前記制御ネットワークを介して送受信する制御情報通信手段と、
前記コンテンツ供給サーバ手段から前記素材入出力手段を介して前記ＭＸＦファイルを入力された場合、前記制御情報通信手段により前記制御ネットワークを介して当該広告番組素材に係わる契約情報を含むメタデータを前記ＥＤＰＳに転送して未契約の前記広告番組素材を蓄積したことを通知し、前記ＥＤＰＳから前記蓄積の通知に対する応答として当該広告番組を放送する契約締結の通知を受信後、前記メタデータを前記契約締結の情報を含むメタデータに更新し、前記蓄積された前記広告番組素材を前記更新したメタデータでラッピングして第２のＭＸＦファイルを生成し、第２のＭＸＦファイルを前記通信網を介して出力する制御を行う制御手段とを
備えることを特徴とする広告番組送出システムのＣＭ送出サーバ。
【請求項３】
コンテンツ供給サーバと、ＣＭ送出サーバと、制御ネットワークと、通信網とを備え、放送局の番組送出及び広告契約を管理するＥＤＰＳに接続され、広告番組素材を管理して送出する広告番組送出システムの広告番組送出方法において、
前記コンテンツ供給サーバ手段は、
広告番組素材を当該広告番組素材に係わる契約情報を含むメタデータでラッピングしたＭＸＦファイルを通信手段又は、記憶媒体により前記ＣＭ送出サーバへ入力し、
前記ＭＸＦファイルを入力した前記ＣＭ送出サーバは、
その前記ＭＸＦファイルを内部の記憶蓄積手段に記憶蓄積し、前記メタデータを前記広告番組素材を蓄積した通知として、前記制御ネットワークを介して前記ＥＤＰＳへ送信し、
前記ＣＭ送出サーバから前記通知を受信した前記ＥＤＰＳは、
その通知に対応する広告番組の放送が契約締結された場合、前記通知に対する応答として、前記契約締結の返信を行い、
前記返信を受信した前記ＣＭ送出サーバは、
前記記憶蓄積していたメタデータを前記契約締結の情報を含むメタデータに更新し、前記蓄積された前記広告番組素材を前記更新されたメタデータでラッピングすることにより第２のＭＸＦファイルを生成し、第２のＭＸＦファイルを前記通信網を介して出力する
ことを特徴とする広告番組送出システムの広告番組送出方法。
【発明の詳細な説明】
【技術分野】
【０００１】
本発明は、特にスポットＣＭの様な広告番組を送出する広告番組送出システムおよびＣＭ送出サーバおよび広告番組送出方法に関する。
【背景技術】
【０００２】
商業放送局では、広告番組をコンテンツ放送の前後、および途中の予め設定されたタイミングで放送する。しかし、広告番組は、数秒から１分程度に過ぎないにも拘わらず多数多種を放送しなければならず、放送タイミングのスケジュール管理の作業が膨大であり、コンピュータを利用して放送スケジュールやオンエアタイミングを制御管理している。
【０００３】
また、広告放送は、広告主（スポンサー）との契約条件が、広告料金、時間帯や番組の人気度などを加味して決定されるため、放送スケジュール等を管理するＤＳ（データサーバ）へ放送条件を定めて入力し無ければならない。契約には、多くの広告主との調整や、番組自体の調整に人的な手順を踏むため時間が掛かるので契約の調整時間を情報処理により短縮する方法が考えられている（例えば、特許文献１。）。
【０００４】
そして、契約に基づきこの広告放送に係わる情報が放送局の営業管理と番組送出を統合管理するＥＤＰＳ（電子情報処理システム）から、広告放送のスケジュールが番組時刻表と共に番組送信を制御するＳＣＰ（Ｓｃｈｅｄｕｌｅ  Ｃｏｎｔｒｏｌ  Ｐｒｏｃｅｓｓｏｒ）および、各種の番組素材を送出する、装置、機材、及びオペレータへ通知される。
【０００５】
図５は、従来の広告番組素材の放送手順を説明するフローチャートである。  
図５において、放送局は、広告主と放送契約締結をして、ＥＤＰＳに、例えば図示されない情報入出力端末から、番組送出に係わる広告放送番組データ入力を行う（図５のステップｓ１０１）。その後、ＥＤＰＳ内で広告番組素材の編集（ステップｓ１０２）等を行い更新された番組時刻表がＳＣＰへ送信（ステップｓ１０３）、広告素材管理データがＣＭバンクへ送信されている。
【０００６】
ＣＭバンクには、その後、ＶＴＲテープの装着、又はビデオサーバに電子的にコンテンツデータを記憶蓄積する等の準備が行われ、オンエアのコマンドを待機する（ステップｓ１０６、ｓ１０７）。そして、ＳＣＰ又は、オペレータからＯＡコマンドが入力されると広告素材を送出（ステップｓ１０９）する。
【０００７】
これらのステップｓ１０７迄に至る広告素材の記憶蓄積等の準備は、ＯＡタイミングの合間を縫って行うなど、準備に時間が掛かるため、前もって放送開始の５日程度前までに契約を締結し、それから広告コンテンツをＣＭバンクの様な記憶媒体システム、コンテンツサーバに記憶蓄積しなければならなかった。
【０００８】
ところが、特別報道番組やスポーツ中継はじめ実況中継のようなライブ放送のスポット広告は、番組視聴に影響の無いタイミングで放送しなければならない。この様な番組に対しては、スポーツ番組のような番組枠がある物は事前に広告コンテンツをＣＭバンクに記憶蓄積しておき、オペレータがマニュアルで広告コンテンツをＣＭバンクから読み出し出力させて契約を満たす放送回数でオンエアしているが番組内容の進行の予測が困難な為、契約通り放送出来ない場合が生じる。
【０００９】
また、番組内容から予定の広告主が急に変更されるか、コンテンツの追加が希望される等の変更要求に対し、従来の広告放送の送出システムにおける広告番組送出方法では、全てＤＳからの制御に従って番組変更処理を行う。その為、広告放送の契約処理を済ませてコンテンツの記憶蓄積を含めて放送スケジュール管理が行われるため放送直前での新たな広告コンテンツを緊急にＣＭバンクへ記憶蓄積することが出来ない問題があった。
【特許文献１】特開２００１−８６０８２号公報  （第１２頁、第７図）
【発明の開示】
【発明が解決しようとする課題】
【００１０】
従来の広告放送の送出システムにおける広告番組送出方法では、広告放送の契約処理を済ませて全てＤＳからの制御に従って番組変更処理が行われ、コンテンツの記憶蓄積を含めて放送スケジュール管理が行われるので放送直前での新たな広告コンテンツを緊急にＣＭバンクへ記憶蓄積することが出来ない問題があった。
【００１１】
本発明は上記問題を解決するためになされたもので広告契約と広告コンテンツの記憶蓄積が迅速に行えるスポット放送用の広告番組送出システムおよびＣＭ送出サーバおよび広告番組送出方法を提供することを目的とする。
【課題を解決するための手段】
【００１２】
上記目的を達成するために、本発明の広告番組送出システムは、放送局の番組素材の送出及び広告番組の契約を管理するＥＤＰＳに接続され、広告番組素材を通信網により伝送して送出する広告番組送出システムにおいて、広告番組素材とそれに係わる契約情報を含むメタデータでラッピングしたＭＸＦファイルを伝送可能な通信手段に向け、又は、記憶媒体により出力するコンテンツ供給サーバ手段と、ＭＸＦファイルが伝送可能な通信手段と、外部装置との間で前記通信手段又は、記憶媒体により前記ＭＸＦファイルを入出力し、前記ＭＸＦファイルを内部の記憶蓄積手段との間で書込読み出しを行う素材入出力手段と、前記入出力するＭＸＦファイルを記憶蓄積する記憶蓄積手段と、前記メタデータを制御ネットワークを介して送受信する制御情報通信手段と、前記コンテンツ供給サーバ手段から前記ＭＸＦファイルを入力された場合、前記制御情報通信手段により前記制御ネットワークを介して当該広告番組素材に係わる契約情報を含むメタデータを前記ＥＤＰＳに転送して未契約の前記広告番組素材を蓄積したことを通知し、前記ＥＤＰＳから前記蓄積の通知に対する応答として当該広告番組を放送する契約締結の通知を受信後、前記メタデータを前記契約締結の情報を含むメタデータに更新し、前記更新したメタデータで前記蓄積された前記広告番組素材をラッピングして第２のＭＸＦファイルを生成し、第２のＭＸＦファイルを前記通信網により出力する制御を行う制御手段とを備えるＣＭ送出サーバと、前記ＣＭ送出サーバと前記ＥＤＰＳとの間でメタデータおよび制御データを伝送する制御ネットワークと、前記各番組に対する送出、および契約情報とを管理し、前記ＣＭ送出サーバから受信した前記広告番組素材を蓄積した通知に対し、当該広告番組を放送する契約が締結された場合、その契約締結の情報を前記ＣＭ送出サーバへ送信するＥＤＰＳとを備えることを特徴とする。
【００１３】
また、本発明の広告番組送出システムのＣＭ送出サーバは、コンテンツ供給サーバ手段から広告番組素材とそれに係わる契約情報を含むメタデータでラッピングしたＭＸＦファイルを入力し、制御ネットワークで接続されたＥＤＰＳに管理されて前記広告番組素材を通信網を介して出力する広告番組送出システムのＣＭ送出サーバにおいて、前記ＭＸＦファイルを伝送可能な通信手段と、外部装置との間で前記通信手段又は、記憶媒体により前記ＭＸＦファイルを入出力して内部の記憶蓄積手段との間で書込読み出しを行う素材入出力手段と、前記ＭＸＦファイルを記憶蓄積する記憶蓄積手段と、前記メタデータを前記制御ネットワークを介して送受信する制御情報通信手段と、前記コンテンツ供給サーバ手段から前記素材入出力手段を介して前記ＭＸＦファイルを入力された場合、前記制御情報通信手段により前記制御ネットワークを介して当該広告番組素材に係わる契約情報を含むメタデータを前記ＥＤＰＳに転送して未契約の前記広告番組素材を蓄積したことを通知し、前記ＥＤＰＳから前記蓄積の通知に対する応答として当該広告番組を放送する契約締結の通知を受信後、前記メタデータを前記契約締結の情報を含むメタデータに更新し、前記蓄積された前記広告番組素材を前記更新したメタデータでラッピングして第２のＭＸＦファイルを生成し、第２のＭＸＦファイルを前記通信網を介して出力する制御を行う制御手段とを備えることを特徴とする。
【００１４】
更に本発明の広告番組送出システムの広告番組送出方法は、コンテンツ供給サーバと、ＣＭ送出サーバと、制御ネットワークと、通信網とを備え、放送局の番組送出及び広告契約を管理するＥＤＰＳに接続され、広告番組素材を管理して送出する広告番組送出システムの広告番組送出方法において、前記コンテンツ供給サーバ手段は、広告番組素材を当該広告番組素材に係わる契約情報を含むメタデータでラッピングしたＭＸＦファイルを通信手段又は、記憶媒体により前記ＣＭ送出サーバへ入力し、前記ＭＸＦファイルを入力した前記ＣＭ送出サーバは、その前記ＭＸＦファイルを内部の記憶蓄積手段に記憶蓄積し、前記メタデータを前記広告番組素材を蓄積した通知として、前記制御ネットワークを介して前記ＥＤＰＳへ送信し、前記ＣＭ送出サーバから前記通知を受信した前記ＥＤＰＳは、その通知に対応する広告番組の放送が契約締結された場合、前記通知に対する応答として、前記契約締結の返信を行い、前記返信を受信した前記ＣＭ送出サーバは、前記記憶蓄積していたメタデータを前記契約締結の情報を含むメタデータに更新し、前記蓄積された前記広告番組素材を前記更新されたメタデータでラッピングすることにより第２のＭＸＦファイルを生成し、第２のＭＸＦファイルを前記通信網を介して出力することを特徴とする。
【発明の効果】
【００１５】
本発明によれば、広告契約と広告コンテンツの記憶蓄積が迅速に行えるスポット放送用の広告番組送出システムおよびＣＭ送出サーバおよび広告番組送出方法を提供することができる。
【発明を実施するための最良の形態】
【００１６】
以下、図面を参照して本発明の実施例を説明する。
【実施例】
【００１７】
図１は、本発明の実施例に係る広告番組送出システムの構成系統図である。
【００１８】
図１において広告番組送出システムは、放送局の番組編成、広告契約情報を統合して管理するＥＤＰＳ９、制御ネットワークＮ等を介してそれぞれの間が接続されるデータサーバ（以下、ＤＳと略す）１、ＳＣＰ（Ｓｃｈｅｄｕｌｅ  Ｃｏｎｔｒｏｌ  Ｐｒｏｃｅｓｓｏｒ）２、スイッチャ３、素材送出装置４１〜４ｎ、制御卓５、番組送出サーバ６、多重装置７、広告代理店等に備えられ、広告コンテンツデータを供給するコンテンツサーバ８等を備えている。
【００１９】
ＥＤＰＳ９は、図示しないが、番組編成、放送時刻表、各番組に対する広告契約に係わるデータを記憶蓄積する記憶手段や、それらのデータを制御する中央処理制御部、また、パーソナルコンピュータ等による外部情報入出力手段を備え、制御ネットワークＮでＤＳ１やＳＣＰ２、後述のＣＭ送出サーバ４５等の上記構成と接続されている。ＤＳ１は、ＥＤＰＳ９に接続された番組送出制御に係わるデータ処理を行うサーバである。
【００２０】
スイッチャ３は、素材送出装置４１〜４ｎ、番組送出サーバ６、多重装置７との間で素材信号である映像・音声信号、ＴＳ（Ｔｒａｎｓｐｏｒｔ  Ｓｔｒｅａｍ）信号を入出力する信号線が接続され、ＳＣＰ２、又は制御卓５からの切替先を制御する信号により前記の各装置間を選択的に接続する。
【００２１】
また、スイッチャ３を囲む点線で示される様に、このスイッチャ３と信号線での素材信号伝送と同様にこれらの装置、機器間をデジタルデータバス、もしくは、データラインで接続し、ＴＳ信号やメタデータを含むパケット信号をＩＰプロトコル等により伝送するパケット網ＰＮが構築され、ＭＸＦファイルが伝送可能にされている。
【００２２】
番組放送スケジュールは、広告番組送出（放送）タイミングを含めてＤＳ１から制御ネットワークＮを介してＳＣＰ２へ番組時刻表として入力される。ＳＣＰ２は、番組時刻表から更に番組コンテンツを送出する素材送出装置４１〜４ｎとスイッチャ３との細かな動作タイミングを制御するスケジュール管理を行い制御ネットワークＮを介して、各装置への動作コマンド、およびデータを入力する。
【００２３】
各種の番組コンテンツや広告番組コンテンツは、番組時刻表に基づいてＳＣＰ２から出力された自分宛の動作コマンドを受信した所要の素材送出装置４１〜４ｎのいずれかから出力される。そして、同じくそのコンテンツを出力するようスイッチャ３により装置間接続が行われ、選択されたコンテンツが番組送出サーバ６、多重装置７を介して送信機へ入力される。
【００２４】
素材送出装置４１〜４ｎは、例えば、ニューススタジオのカメラ装置４１や、ドラマを記録蓄積、出力するＶＴＲ４２、又は、ビデオサーバ４３の様にＯＡする番組コンテンツの送出装置のグループである。実施例では、広告番組素材を蓄積記録する装置もこのグループに属し、通常の広告番組を取り扱うＣＭバンク４４と、スポット広告素材を取り扱うＣＭ送出サーバ４５とが含まれる。
【００２５】
ＣＭバンク４４には、ＶＴＲテープ、ディスク装置等の記憶陸席手段に予め、広告代理店と放送局との間で広告契約が成立した広告番組素材が記憶蓄積され、前述の手順により広告番組が所定のオンエアの時刻、タイミングで読み出されて送信機へ向けて出力、ＯＡされる。
【００２６】
また、番組送出サーバ６も広告を含めて各種の番組素材を内部の記憶手段に蓄積し、ＳＣＰ２から指定された番組送出のオンエアの時刻、タイミング、又は、制御卓５からのオンエアコマンドで所要の番組素材を記憶手段から読み出して送信機へ向けて送出するものである。
【００２７】
また、スポット広告の番組素材も従来は、一般の広告と同様にＣＭバンク４４に蓄積記録され、オペレータが番組をＯＡ中の適当なタイミングに制御卓５から、当該広告番組素材を出力し、またスイッチャ３を切り替える制御のコマンドを入力して広告番組素材をＣＭバンク４４からスイッチャ３を経由し、多重装置７等を介して送信機へ向けて送出している。
【００２８】
しかし、広告契約が成立してから、広告番組の名称およびその番組素材の識別情報はじめ所定の付属情報をＤＳ１へ入力し、それ以降ＣＭバンク４４に広告コンテンツデータ、例えば広告番組の映像・音声信号のファイルがＣＭバンク４４へ書込蓄積されるか、又はＶＴＲテープが装着される処理が行われる。その結果、緊急に広告コンテンツをＣＭバンク４４へ書込むことが困難であり、スポット広告を緊急に準備、放送出来ない問題があった。
【００２９】
通常、広告番組の契約には、時間取りなど、広告代理店と放送局間での人的な交渉による調整もあり、時間を要するのでこの契約交渉中に広告番組の収録を終了して待機するようにすれば、契約後の広告番組の放送準備時間が短くすることが可能になる。
【００３０】
図２は、本発明の実施例におけるＣＭ送出サーバ４５および広告番組送出システムの動作を説明する機能ブロック図である。  
図２において、ＣＭ送出サーバ４５は、それぞれの間が内部バスで接続されるネットワークＩ／Ｆ４ａ、素材入出力部４ｂ、ＣＰＵ４ｃ、記憶蓄積部４ｄ、ＭＸＦアンラッパ４ｅ、ＭＸＦラッパ４ｆと、キーボード、マウス、モニタ表示器、データＩ／Ｏポート等によるデータ入出力部４ｇとを備え、例えば、大容量の記憶蓄積手段を備えるコンピュータの様な情報端末のサーバであってスポット番組素材を蓄積送出するサーバである。
【００３１】
ネットワークＩ／Ｆ４ａは、制御ネットワークＮとの間の通信インタフェースであり、ＳＣＰ２およびＥＤＰＳ９のＤＳ１とＣＭ送出サーバ４５との間で、制御コマンドや応答、および広告契約情報、広告コンテンツに係わる識別情報や編集情報等のメタデータを送受信する。素材入出力部４ｂは、例えば、ＴＣＰ／ＩＰ手順、又は、所定の手順でＭＸＦファイル化されたＴＳ（Ｔｒａｎｓｐｏｒｔ  Ｓｔｒｅａｍ）を入出力する通信インタフェース、もしくは、ＭＸＦフィアル化されたデータを記憶した記憶媒体によるＭＸＦファイルの入出力手段である。
【００３２】
本発明の実施例による広告番組送出システムでは、広告番組素材を従来の方法に加えて、緊急なスポット広告に対して、ＣＭ送出サーバ４５が、素材入出力部４ｂを介してコンテンツサーバ８から広告番組素材とＥＤＰＳ９に登録するのに必要なメタデータとをＭＸＦファイルにして入力することにより、契約前に広告番組素材をＣＭサーバ４４に蓄積してＯＡの準備することを可能にしている。
【００３３】
ＣＭ送出サーバ４５に入力されるＭＸＦファイル化される広告番組素材をラッピングするメタデータは、ＥＤＰＳ９に登録される編集情報であって、「広告番組名」、「素材コード」、「番組送出時間帯」、「送出時間長」、「属性」、「代理店コード」、「オプション情報」等一般の広告コンテンツに付帯されているメタデータと同様であり、「オプション情報」に「契約・未契約状態」が記述されている。
【００３４】
図３は、メタデータの構成概念を説明するメタデータ構成図である。  
図３（ａ）は、スポット番組の広告番組素材に対応するメタデータの一例で、メタデータは、広告番組名ｍ１「Ａ社ＯＯＯ」、素材コードｍ２「ＣＸＡＰｖ３９９９」、番組送出時間帯ｍ３、送出時間長・属性ｍ４、オプション情報ｍ５、代理店コードｍ６が記されている。広告番組名ｍ１と素材コードｍ２は、広告番組名称とその広告番組素材の識別情報である。番組送出時間帯ｍ３は、広告を放送する時間帯「２０：００：００ｔｏ２０：４５：００」を表し、送出時間長ｍ４「３０Ｓ１」は、広告番組の時間の３０（秒）と「属性」としてスポット広告１回で有ることを示す“Ｓ１”の記号が追加情報として記されている。
【００３５】
図３（ｂ）は、放送時刻が設定されている通常の広告番組のメタデータを示し、「属性」が通常の広告で有れば、広告を放送する番組送出時間帯ｍ３は、「２０：３０：００ｔｏ２０：３１：００」、送出時間長・属性ｍ４は「６０」のみ記され、２０：３０：００から１分（６０秒）の長さの広告番組であることが示される。
【００３６】
また、オプション情報ｍ５は、入力された広告素材が未契約で有る場合記号「ＮＹ」、契約締結の場合は記号「ＳＧ」が記入される。
【００３７】
図４は、本発明の実施例による広告番組送出システムの処理手順を説明するフローチャートである。  
以下、図１〜図４を参照して本発明の実施例の広告番組送出システムの動作手順を説明する。
【００３８】
今、本来、夜８時（２０時）のゴールデンアワーにドラマが放送予定されていた所、重大事件が発生し緊急報道番組に変更される場合を例に説明する。この場合、ドラマのスポンサー企業が、ドラマに代わった報道番組では広告番組をしない契約になっており、新たに広告主を充当しなければならないとする。
【００３９】
先ず、緊急放送が見込まれると、広告代理店は、素材コードが「ＣＸＡＰｖ３９９９」の広告番組素材の映像・音声ファイル（信号）を図３（ａ）に示された広告素材メタデータ（以下、メタデータファイルＭＤ＃ａと称する。）でラッピングしたＭＸＦファイルＷＦ＃ａを、図１のコンテンツサーバ８から、例えば、ＴＣＰ／ＩＰ手順によりインターネット（図示せず。）経由でＣＭ送出サーバ４５へ送信する。
【００４０】
ＣＭ送出サーバ４５の素材入出力部４ｂは、図示されないＴＣＰ／ＩＰ手順を司る通信インタフェースを介してインターネットからＭＸＦファイルＷＦ＃ａを受信、入力し、内部バスを介してＭＸＦアンラッパ４ｅへ転送する。ＭＸＦアンラッパ４ｅは、ＭＸＦファイルＷＦ＃ａをメタデータと、素材コード「ＣＸＡＰｖ３９９９」の映像・音声ファイル（以下、映像・音声ファイルＶＦ＃ａと略す。）とにアンラップ（分離）する。
【００４１】
なお、このコンテンツサーバ８とＣＭ送出サーバ４５との間の通信手段（又は通信網）は、インターネットの代わりに、図１の点線部の様に、パケット網ＰＮの様な通信手段（又は通信網）であっても良い。
【００４２】
更に、広告番組素材の入力は、このインターネットの様な通信手段（又は通信網）を介してＭＸＦファイルを入力する代わりに、例えばＤＶＤ等の記憶媒体により、データ入出力部４ｇが備える記憶媒体の入出力手段を介して、ＭＸＦファイルの入力を行うものであっても良い。
【００４３】
さて、ＭＸＦファイルＷＦ＃ａが入力されると入力ＣＰＵ４ｃは、内部バスを監視し、アンラップされたメタデータファイルＭＤ＃ａと映像・音声ファイルＶＦ＃ａとを記憶蓄積部４ｄに書込み蓄積する（図４のステップｓ１）。なお、このメタデータＭＤ＃ａを書き込むに当たり、必要で有れば所要の手順で、メタデータの内容の修正、編集等が行われ、蓄積される。そして、広告番組素材を蓄積した通知として修正、再編集されたメタデータファイルＭＤ＃ａをネットワークＩ／Ｆ４ａにより制御ネットワークＮを介してＥＤＰＳ９のＤＳ１へ送信する（ステップｓ２）。
【００４４】
ＤＳ１は、蓄積通知としてのメタデータファイルＭＤ＃ａを受信すると、オプション情報ｍ５を判読して、未契約（ステップｓ３１がＮの場合）、言い換えれば、新たな広告の注文の場合所要の受注処理（ステップｓ３２）を行う。多くは、受注情報を更にＥＤＰＳ９のメール手段等又は、外部情報入出力手段により放送局の営業担当に連絡し、営業担当と広告代理店との間で契約に係わる諸調整が行われる。
【００４５】
そして、広告放送の契約が締結されると、ＥＤＰＳ９の外部情報入力手段から契約が締結された情報が入力される。ＥＤＰＳ９のＤＳ１は、番組時刻表に予定していた番組が緊急報道番組に変更されている場合（ステップｓ３３がＹｅｓ）オンエアしても良いと判断し、蓄積通知に対する応答としてこの契約締結通知を制御ネットワークＮを介してＣＭ送出サーバ４５へ通知する（ステップｓ４）。
【００４６】
ＣＭ送出サーバ４５のＣＰＵ４ｃは、この契約締結通知を受信し、契約締結と判断する（ステップｓ７がＹｅｓ）と、メタデータファイルＭＤ＃ａのオプションコードｍ５を「ＮＹ」から「ＳＤ」へ書き替えて記憶蓄積部４ｈに記憶蓄積する。
【００４７】
もし、この契約に伴い、例えば、番組送出時間帯ｍ３が変更され「２０：００：００ｔｏ２０：１５：００」の間と、別な時間帯の「２０：３０：００ｔｏ２０：４５：００」の間で、それぞれ１回ずつ放送される変更があったとする。その場合ＤＳ１は、２回のスポット送出に合わせるよう、一方はメタデータファイルＭＤ＃ａの送出時間帯ｍ３を「２０：００：００ｔｏ２０：１５：００」に修正した、更に、他方の１回分の送出時間帯ｍ３「２０：３０：００ｔｏ２０：４５：００」の様にした新たなメタデータファイルＭＤ＃ｂを作成する広告素材管理データの編集を行う（ステップｓ５）。
【００４８】
そして、制御ネットワークＮを介して更新番組時刻表をＳＣＰ２と、ＣＭ送出サーバ４５へ送信する（ステップｓ６）。この場合、両メタデータファイルＭＤ＃ａ、ＭＤ＃ｂともオプション情報には「ＳＤ」が記入されている。前述の通り、この「ＳＤ」は契約締結を意味しているが、言い換えれば、当該番組素材がオンエアに用いる素材で有ることを示している。
【００４９】
ＣＭ送出サーバ４５のＣＰＵ４ｃは、これらのメタデータを受信することにより、広告番組送出が２回になることを判読する。そして、それぞれのメタデータを記憶蓄積部４ｄ書込記憶することにより各オンエアの送出に対応したメタデータで広告番組をラッピングしたＭＸＦファイルの編集が可能になる。
【００５０】
ＤＳ１からのオプション情報「ＳＤ」を受信したＣＭ送出サーバ４５のＣＰＵ４ｃは、映像・音声ファイルＶＦ＃ａをＣＭバンク４４、又は、番組送出サーバ６へ送出する。この映像・音声ファイルＶＦ＃ａの第１の送出方法は、それぞれメタデータファイルＭＤ＃ａ、ＭＤ＃ｂによって記憶蓄積部４ｄから読み出した映像・音声ファイルＶＦ＃ａをＭＸＦラッパ４ｆでラッピングし、ＭＸＦファイルＷＦ＃ａ、ＷＦ＃ｂを生成してパケット網ＰＮを介して、ＣＭバンク４４、又は、番組送出サーバ６番組へ送信する。
【００５１】
ＤＳ１から更新番組時刻表を受信したＳＣＰ２は、制御ネットワークＮを介してＣＭバンク４４、又は番組送出サーバ６始め、素材送出装置４１〜４ｎへ、２０：００：００以降待機させる番組送出スケジュールを送信する（ステップｓ１０５）。
【００５２】
ＭＸＦファイルを受信したＣＭバンク４４、又は、番組送出サーバ６は、各々のアンラッパ（図示せず）でアンラッピングし、メタデータファイルＭＤ＃ａ（又は、＃ｂ）と広告素材である映像・音声ファイルＶＦ＃ａとを、それぞれの記憶手段（図示せず。）へ入力蓄積（ステップｓ１０６）する。
【００５３】
重大事件が発生し、緊急報道番組が放送される場合、送出する放送素材の切替は、ＳＣＰ２によるＤＳ１からの番組時刻表に基づいて作成されたプログラムの切替手順に代わって、制御卓５からのコマンドにより行われる。
【００５４】
番組送出サーバ６、ＣＭバンク４４は、アンラッピングした、例えば、メタデータファイルＭＤ＃ａを解読し、２０：００：００〜２０：１５：００の間は、制御卓５からの当該スポット広告に対するオンエアコマンドを待機する（ステップｓ１０７）。
【００５５】
そして制御卓５からのオンエアコマンドを受信する（ステップｓ１０８がＹｅｓ）と、広告素材を送信機、又は送信系統装置へ向けて送出する（ステップｓ１０９）。
【００５６】
この方法では、ＭＸＦファイル化して広告素材を扱うのでメタデータにより多機能、臨機応変な素材管理が可能になる。しかもスイッチャ３を介さないので、オンエアの為の接続と干渉しなくて済む効果があり、契約締結に先駆けて広告素材を蓄積することが可能なので、スポット広告の要求に対して準備に必要な時間が大幅に短縮出来る効果がある。
【００５７】
また、本発明は、上記の主旨を逸脱しない範囲で構成や処理手順を変更しても適用可能である。
【００５８】
即ち、自動的にＣＭ送出サーバ４５から転送の送出処理を行う代わりに、契約締結通知をＥＤＰＳ９から通知を受けたオペレータが、制御卓５からスイッチャ３を操作して、ＣＭ送出サーバ４５の記憶蓄積部４ｄに蓄積されたメタデータを判読し、同じく蓄積された映像・音声ファイルＶＦ＃ａと共にＣＭバンク４４、又は番組送出サーバ６の様な送信系統装置へ転送蓄積させても良い。
【００５９】
また、更に別の方法として、ＣＭ送出サーバ４５が、メタデータを判読してスポット広告割り当て時間に、オンエア待機をすると共に、映像・音声信号を記憶蓄積部４５から読み出して符号化ＩＦ部で復号化して生成したスポット広告素材を、制御卓５からのコマンドにより直接スイッチャ３を介して送信機へ向けて送出するようにしても良い。
【００６０】
いずれの方法にせよ、従来と異なり、契約締結前に一旦スポット広告素材をＣＭ送出サーバ４５に蓄積するので、広告素材を放送局に持ち込んでから番組送出までの準備時間を短くすることが可能である。
【００６１】
なお、ＣＭ送出サーバ４５を用いずに直接ＣＭバンク４４、又は番組送出サーバ６へ契約前の広告番組素材を蓄積し、オプション情報の「ＳＤ」を用いて予め広告番組素材を蓄積する方法もあるが、使用予定が未定のＣＭ番組素材を多量に蓄積することになり、ＣＭバンクの記憶容量が極めて大きくなるか、又は記憶容量を圧迫する事になる。また、広告番組素材を誤送出する可能性もある。
【００６２】
本実施例の方法では、ＣＭ送出サーバが、番組素材をバッファすることによりオンエア用のＣＭバンク、又は番組送出サーバへの負担を軽減し、誤送出を防ぐことが可能である。
【図面の簡単な説明】
【００６３】
【図１】本発明の実施例に係わる広告番組送出システムの構成を説明する構成系統図。
【図２】本発明の実施例に係わるＣＭ送出サーバの動作を説明する機能ブロック図。
【図３】メタデータの構成概念を説明するメタデータ構成図。
【図４】本発明の実施例による広告番組送出システムの処理手順を説明するフローチャート。
【図５】従来の広告番組素材の放送手順を説明するフローチャート。
【符号の説明】
【００６４】
１  ＤＳ（データサーバ）
２  ＳＣＰ（Ｓｃｈｅｄｕｌｅ  Ｃｏｎｔｒｏｌ  Ｐｒｏｃｅｓｓｏｒ）
３  スイッチャ
４１〜４ｎ  素材送出装置
４４  ＣＭバンク
４５  ＣＭ送出サーバ
４ａ  ネットワークＩ／Ｆ
４ｂ  素材入出力部
４ｃ  ＣＰＵ
４ｄ  記憶蓄積部
４ｅ  ＭＸＦアンラッパ
４ｆ  ＭＸＦラッパ
４ｇ  データ入出力部
５  制御卓
６  番組送出サーバ
７  多重装置
８  コンテンツサーバ
９  ＥＤＰＳ  （電子情報処理システム）
ｍ１〜ｍｎ  メタデータ
【図１】
2010068469.tif 000003
【図２】
2010068469.tif 000004
【図３】
2010068469.tif 000005
【図４】
2010068469.tif 000006
【図５】
2010068469.tif 000007